(57)【要約】【課題】  貝の真珠層で反射する光が美しく、かつ、時計針の視認性を向上させた時計用文字板及びこれを備えた時計を提供する。【解決手段】  文字板の最前面を構成する真珠層１１を、白蝶貝または黒蝶貝の真珠層を放射状に１２分割して正時と正時との間の１時間の時間領域毎に区画したもの（１１Ａ〜１１Ｌ）を貼り合わせて矩形状に形成する。真珠片（１１Ａ〜１１Ｌ）の複数の縞模様（１１１Ａ〜１１１Ｌ）の連続方向が、指針軸貫通用孔１１Ｍから真珠層１１の外周に向かうように配置する。【選択図】  図４
2005331346.tif 000002
【特許請求の範囲】
【請求項１】
基体層上に、複数枚の貝の真珠片を放射状に貼り合わせることにより所定の時間領域毎に区画された真珠層を備えたことを特徴とする時計用文字板。
【請求項２】
前記真珠層は、先端角が３０度である、１２片の前記真珠片から形成されたことを特徴とする請求項１に記載の時計用文字板。
【請求項３】
前記真珠層は前記真珠片の先端により構成される指針軸貫通用孔を有し、
前記真珠片の複数の縞模様の連続方向が前記指針軸貫通用孔から真珠層の外周に向かうように配置されたことを特徴とする請求項１または２に記載の時計用文字板。
【請求項４】
前記基体層は、透明または黒色であることを特徴とする請求項１乃至３のいずれか１項に記載の時計用文字板。
【請求項５】
請求項１乃至４のいずれか１項に記載の時計用文字板を備えたことを特徴とする時計。
【発明の詳細な説明】
【技術分野】
【０００１】
本発明は、時計用文字板及びこれを備えた時計に関する。
【背景技術】
【０００２】
時計用文字板の美観やファッション性等を向上させるために、文字板に様々な工夫が施される。このような時計用文字板として、微細発色薄片である貝質薄片を用いた技術が特許文献１に記載されている。
【０００３】
この特許文献１の時計用文字板は、基体層の表面に、鱗片形状の貝質薄片からなる微細発色薄片を均一に分散して、その上に透明層を積層して構成されている。
【特許文献１】特開２００１−２１６７０号公報
【発明の開示】
【発明が解決しようとする課題】
【０００４】
しかしながら、上述した時計用文字板では、貝質薄片は微細な薄片であるために、貝が本来有している美しい模様を生かしきれず、また、美しい本来の模様を有する貝に光が反射して発生する美しい光が得られないという問題があった。
そして、上述した時計用文字板では、基体層の表面に貝質薄片をほぼ均一にまぶして分散させているだけであるため、時計針による時刻の視認性が悪いという問題があった。
【０００５】
本発明は、上記実情に鑑みてなされたもので、貝の真珠層で反射する光が美しく、かつ、時計針による時刻の視認性を向上させた時計用文字板及びこれを備えた時計を提供することを目的とする。
【課題を解決するための手段】
【０００６】
上記目的を達成するため、本発明の時計用文字板は、
基体層上に、複数枚の貝の真珠片を放射状に貼り合わせることにより所定の時間領域毎に区画された真珠層を備えたことを特徴とする。
【０００７】
また、前記真珠層は、先端角が３０度である、１２片の前記真珠片から形成されるようにしてもよい。
【０００８】
また、前記真珠層は前記真珠片の先端により構成される指針軸貫通用孔を有し、
前記真珠片の複数の縞模様の連続方向が前記指針軸貫通用孔から真珠層の外周に向かうように配置されるようにするとよい。
【０００９】
また、前記基体層は、透明または黒色であるようにしてもよい。
【００１０】
上記目的を達成するため、本発明の時計は、上述した時計用文字板を備えたことを特徴とする。
【発明の効果】
【００１１】
本発明によれば、貝の真珠層で反射する光が美しく、かつ、時計針による時刻の視認性を向上させた時計用文字板及びこれを備えた時計を提供することができる。
【発明を実施するための最良の形態】
【００１２】
本発明の実施の形態に係る時計用文字板（文字板）を備えた時計について、以下図面を参照して説明する。時計１は、図１及び図２に示すように、文字板１０と、機械体２０と、分針２１と、時針２２と、分針２１及び時針２２が固定される指針軸２３と、文字板１０に取り付けられる飾りリング２４と、飾りリング２４に固定される時表示目盛２５と、分針２１及び時針２２を指針軸２３からはずれないようにするための針キャップ２６と、前面ガラスカバー２７と、前面ガラスカバー２７を受けるカバー受け２８と、天板２９と、台板３０とを備えている。
【００１３】
文字板１０は、分針２１及び時針２２により指される時表示目盛２５等が取り付けられるものである。文字板１０は、図３に示すように、真珠層１１と、透明層１２と、第１の接着層１３と、第１の裏打層１４と、第２の接着層１５と、基体層１６と、第３の接着層１７と、第２の裏打層１８とを備えている。また、文字板１０の中央の上部付近には指針軸２３が貫通する指針軸貫通用孔１９が形成されている。
【００１４】
真珠層１１は、白蝶貝または黒蝶貝の真珠層により構成され、図４に示すように、１２枚の真珠片（１１Ａ〜１１Ｌ）を放射状に貼り合わせて矩形状にしたものである。真珠層１１は、光が反射することにより美しい真珠光（貝光）を発生する。真珠片（１１Ａ〜１１Ｌ）は、それぞれ特有の真珠光の反射方向を有している。真珠片（１１Ａ〜１１Ｌ）の先端角αは、すべて３０度であり、真珠層１１は、正時と正時との間の１時間の時間の領域毎に区画されている。詳しく説明すると、各真珠片（１１Ａ〜１１Ｌ）の境界線が正時の位置に一致するように真珠層１１が区画されている。真珠層１１の厚さは約０．１〜０．３ｍｍ程度である。真珠層１１には、指針軸貫通用孔１９の一部を構成する指針軸貫通用孔１１Ｍが形成されている。なお、指針軸貫通用孔１１Ｍは真珠片（１１Ａ〜１１Ｌ）の先端により構成される。
【００１５】
白蝶貝は、真珠養殖に用いられるアコヤガイなどと同じウグイスガイ科の二枚貝で真珠養殖の母貝となる。白蝶貝の殻の内面の真珠層をスライスすることにより、真珠片（１１Ａ〜１１Ｌ）とする。また、黒蝶貝は、白蝶貝と同じウグイス科の二枚貝で真珠養殖の母貝となる。黒蝶貝の殻の内面の真珠層をスライスすることにより、真珠片（１１Ａ〜１１Ｌ）とする。
【００１６】
真珠片（１１Ａ〜１１Ｌ）には、それぞれ年輪のような縞模様（１１１Ａ〜１１１Ｌ）が複数形成されている。複数の縞模様（１１１Ａ〜１１１Ｌ）の連続方向が、指針軸貫通用孔１１Ｍから真珠層１１の外周に向かうように、真珠片（１１Ａ〜１１Ｌ）は配置される。
【００１７】
基体層１６は、地板としての層である。基体層１６は、例えばメラミン樹脂により、１〜２μｍ程度の厚さに形成される。メラミン樹脂は、無色透明で着色が自由で、表面硬度が大きく、熱による寸法変化が少なく、強度、耐水性等に優れている。よって、基体層１６は、熱による寸法変化が少ないために、真珠層１１は剥がれづらくなり、破損しづらくなる。また、基体層１６の色は、無色透明、黒色、白色、青色、ピンク色等目的にあわせて任意に選択することができる。基体層１６を透明、黒色にした場合には、基体層１６からの光の反射が少ないので、真珠層１１からの真珠光が際だって見える。基体層１６を白色にした場合でも、真珠層１１の厚みがあるので、真珠層１１からの真珠光はきれいである。
【００１８】
透明層１２は、真珠層１１の表面を保護するための層である。透明層１２は、例えば油性ラッカー等により数μｍの薄さで形成される。透明層１２は、真珠層１１からの真珠光を生かすために、薄く形成されている。
【００１９】
第１の接着層１３は、真珠層１１と第１の裏打層１４とを接着するための層であり、真珠層１１を接着するのに好都合な例えば漆等の接着剤が用いられる。第１の裏打層１４は、真珠層１１を補強等するための層であり、例えば紙等により形成される。第１の裏打層１４は、０．１〜０．２ｍｍ程度の厚さに形成する。第２の接着層１５は、第１の裏打層１４と基体層１６とを接着させるための層であり、第３の接着層１７は、基体層１６と第２の裏打層１８とを接着させるための層である。第２の裏打層１８は、基体層１６を保護等するための層であり、例えば合成紙等により形成される。第２の裏打層１８は、０．２〜０．４ｍｍ程度の厚さに形成する。
【００２０】
文字板１０には、指針軸貫通用孔１９を中心にして、円形の飾りリング２４が時表示目盛２５を兼ねる取付具によって取り付けられている。時表示目盛２５は、飾りリング２４の０時（１２時）、３時、６時、９時を示す部分に位置されている。
【００２１】
文字板１０は、天板２９及び台板３０に挟持されることにより固定される。
【００２２】
機械体２０は、時計１を駆動する役割を果たすものである。機械体２０は、図２に示すように、指針軸２３を回転駆動する機械部２０Ａと、上部に電波時計などの場合には電波を受信するアンテナを含む回路部２０Ｂと、下部に操作部２０Ｃと、機械部２０Ａと操作部２０Ｃとの間に電池収納部２０Ｄとを備えている。指針軸２３は、機械体２０の機械部２０Ａに設けられており、この指針軸２３を文字板１０の指針軸貫通用孔１９から前面に突出させるように、機械体２０は台板３０に固定されている。
【００２３】
指針軸２３には、時刻の「分」を指す分針２１と、時刻の「時」を指す時針２２とが針キャップ２６等により固定されている。分針２１及び時針２２が、文字板１０の時表示目盛２５等を指示することにより、時刻を表示することができる。
【００２４】
前面ガラスカバー２７は、文字板１０の前面において天板２９及び台板３０の間に挟持されることにより固定される。また、カバー受け２８も前面ガラスカバー２７を受けて、文字板１０の背面において天板２９及び台板３０の間に挟持されることにより固定される。
【００２５】
次に、このように構成される文字板１０を形成する方法及び時計１を組み立てる方法の一例について説明する。真珠片（１１Ａ〜１１Ｌ）を貼り合わせて真珠層１１を形成する。真珠層１１の上から透明層１２を塗布する。第１の裏打層１４と、透明層１２を塗布した真珠層１１とを第１の接着層１３により接着する。
【００２６】
第２の裏打層１８が第３の接着層１７により接着された基体層１６と、真珠層１１に接着された第１の裏打層１４とを、第２の接着層１５により接着する。これにより文字板１０が形成される。
【００２７】
このように形成された文字板１０を台板３０に仮固定して、指針軸２３を文字板１０の指針軸貫通用孔１９から前面に突出させるように、機械体２０を台板３０に固定する。指針軸２３に分針２１及び時針２２を針キャップ２６等により固定する。前面ガラスカバー２７およびカバー受け２８を台板３０に仮固定する。
【００２８】
文字板１０、前面ガラスカバー２７およびカバー受け２８を天板２９及び台板３０で挟持することにより固定する。これにより時計１が組み立てられる。
【００２９】
このように本実施の形態では、文字板１０の最前面側を構成する真珠層１１を放射状に１２分割して正時と正時との間の１時間の時間領域毎に区画するようにしたので、文字板１０をどのような方向から見ても、１２枚の真珠片（１１Ａ〜１１Ｌ）のいずれかから発生する美しい真珠光を見ることができる。また、真珠層１１が正時と正時との間の１時間の時間領域毎に区画されているので、時表示目盛２５を補って時刻を認識する目安となり、分針２１及び時針２２による表示時刻の視認性を向上させることができる。さらに、特に真珠片（１１Ａ〜１１Ｌ）の縞模様（１１１Ａ〜１１１Ｌ）の反射光の変化によって、時計の機能としての時刻を認識する目安となる。真珠層１１を１２分割することにより、温度変化等の原因によって起こる歪み応力を緩和することもできる。
【００３０】
また、本実施の形態では、真珠片（１１Ａ〜１１Ｌ）の複数の縞模様（１１１Ａ〜１１１Ｌ）の連続方向が、指針軸貫通用孔１１Ｍから真珠層１１の外周に向かうように配置するようにしたので、分針２１及び時針２２と縞模様（１１１Ａ〜１１１Ｌ）とがほぼ垂直方向に交わり、より視認性が向上する。
【００３１】
以上、実施形態を挙げて本発明を説明したが、本発明は上記実施形態に限定されるものではなく、種々変形が可能である。例えば、本実施形態では、真珠層１１を正時と正時との間の１時間の時間領域毎に区画するように１２分割した例について説明したが、１２分割に限らず、真珠層１１を所定の時間領域毎に区画する構成であればよく、真珠層１１を２以上に分割することが可能であり、例えば、２分割、４分割が可能である。
【００３２】
また、本実施の形態では、矩形状の文字板１０について説明したが、矩形状に限らず、例えば円形であってもよい。
【００３３】
また、本実施の形態では、基体層１６にメラミン材を用いる例を説明したが、ガラス板等の透明部材を用いることも可能であり、この場合には、基体層１６への光の反射が少なくなり、真珠層１１からの真珠光を際だたせることができる。
【００３４】
また、本実施の形態では、透明層１２を備える例について説明したが、前面ガラスカバー２７により保護される等のために、透明層１２は必ずしも必要とはしない。
【００３５】
また、本実施の形態では、時計１が置き時計である例について説明したが、文字板１０は腕時計や掛け時計について用いることも可能である。この場合には、例えば文字板１０を円形に形成するようにしてもよい。
【００３６】
また、本実施の形態では、時表示目盛２５を備える例について説明したが、インレットを印刷して形成した時表示目盛を、文字板１０に貼り付けるようにしてもよい。
【図面の簡単な説明】
【００３７】
【図１】本発明の実施形態に係る時計用文字板および時計の正面図である。
【図２】図１に示した時計の概略断面図である。
【図３】図１に示した時計用文字板の指針軸貫通用孔付近の断面図である。
【図４】図３に示した時計用文字板の真珠層の正面図である。
【符号の説明】
【００３８】
１        時計
１０      時計用文字板（文字板）
１１      真珠層
１１Ａ〜１１Ｌ  真珠片
１１１Ａ〜１１１Ｌ  縞模様
１６      基体層
２０      機械体
２１      分針
２２      時針
２３      指針軸
２５      時表示目盛
【図１】
2005331346.tif 000003
【図２】
2005331346.tif 000004
【図３】
2005331346.tif 000005
【図４】
2005331346.tif 000006